(57)【要約】【課題】カッターナイフの使用中においてカッターナイフのカッター刃が折れた場合に折れ刃の落下を防ぎ回収することができる機能を有する折れ刃回収付きカッターナイフを提供する。【解決手段】折れ刃回収付きカッターナイフ１００の小口１２は、長手方向に凹部１２ａを有している。凹部１２ａには、紐状の折れ刃回収糸２０が嵌め込まれており、このように凹部１２ａに嵌め込まれている折れ刃回収糸２０は、接着剤３０で凹部１２ａの内部に固着されるようになっている。折れ刃回収付きカッターナイフ１００は、本体部１０が分断された場合において、折れ刃回収糸２０を用いて分断されたそれぞれの部分が連結されており折れ刃の落下を防ぐことができる構成となっている。【選択図】図１
0003230308.tif 000002
【実用新案登録請求の範囲】
【請求項１】
板状に形成されている本体部を有し、前記本体部の長手方向の一方の一辺がカッター刃として形成されており、前記カッター刃と対向する他方の面が小口として形成されている折れ刃回収付きカッターナイフであって、前記小口は、長手方向に凹部を有しており、前記凹部に紐状の折れ刃回収糸が嵌め込まれており、前記凹部に嵌め込まれている折れ刃回収糸は、接着剤で前記凹部に固着されていることを特徴とする折れ刃回収付きカッターナイフ。
【請求項２】
前記凹部は、逆三角形状の溝であることを特徴とする請求項１に記載の折れ刃回収付きカッターナイフ。
【請求項３】
前記折れ刃回収糸は、伸縮性を有していることを特徴とする請求項１または請求項２に記載の折れ刃回収付きカッターナイフ。
【請求項４】
前記本体部が分断された場合において、前記折れ刃回収糸を用いて前記分断されたそれぞれの部分が連結されていることを特徴とする請求項１から請求項３のいずれかに記載の折れ刃回収付きカッターナイフ。
【考案の詳細な説明】
【技術分野】
【０００１】
本考案は、折れ刃回収付きカッターナイフに関する。
【背景技術】
【０００２】
カッターナイフは、ダンボールや紙などを一直線に切る為の道具として開発されたものであるが、布や薄い合板、石膏ボードが切断できるものとして用途に応じてさまざまな形状のものが普及している（特許文献参照）。
【先行技術文献】
【特許文献】
【０００３】
【特許文献１】特開２００３ー１０５６９号公報
【考案の概要】
【考案が解決しようとする課題】
【０００４】
上記のカッターナイフは、高所でカッターナイフを使用する作業、例えば高層建物の外壁修繕作業に伴いカッターナイフを使用する作業において、従来ではカッターナイフのホルダーには落下防止に用いる紐等を取り付けられる穴がありホルダー自体の落下防止対策は可能であるが、カッターナイフが想定外に折れた場合の折れ刃はそのまま落下し、下部に居る人体へ当たり切傷の恐れがある。また、折れ刃は軽量であり厚みに対して刃巾面積が大きいため、風圧を受けやすく落下始点から広範囲に広がり落ちる。これは高所での作業であるほど広範囲に落下することとなり、下部への被害範囲が広がることに直結する。さらに、分断された折れ刃の落下による直接被害が無かったとしても落ちている折れ刃を不用意に触った人が怪我を負うという２次被害の発生にもつながるという問題があった。
【０００５】
そこで本考案は、このような課題を解決するためになされたもので、カッターナイフの使用中においてカッターナイフのカッター刃が折れた場合に折れ刃の落下を防ぎ回収することができる機能を有する折れ刃回収付きカッターナイフを提供することである。
【課題を解決するための手段】
【０００６】
上記課題を解決するために、本考案に係る折れ刃回収付きカッターナイフは、板状に形成されている本体部を有し、前記本体部の長手方向の一方の一辺がカッター刃として形成されており、前記カッター刃と対向する他方の面が小口として形成されている折れ刃回収付きカッターナイフであって、前記小口は、長手方向に凹部を有しており、前記凹部に紐状の折れ刃回収糸が嵌め込まれており、前記凹部に嵌め込まれている折れ刃回収糸は、接着剤で前記凹部に固着されていることを特徴とする。
【０００７】
本考案に係る折れ刃回収付きカッターナイフの態様として、前記凹部は、逆三角形状の溝であることが好ましく、また、前記折れ刃回収糸は、伸縮性を有している。
【０００８】
本考案に係る折れ刃回収付きカッターナイフの態様として、前記本体部が分断された場合において、前記折れ刃回収糸を用いて前記分断されたそれぞれの部分が連結されている。
【考案の効果】
【０００９】
本考案によれば、カッターナイフの使用中においてカッターナイフのカッター刃が折れた場合に折れ刃の落下を防ぎ回収することができる機能を有する折れ刃回収付きカッターナイフを提供することができる。
【図面の簡単な説明】
【００１０】
【図１】実施形態の折れ刃回収付きカッターナイフの一例を示す模式図である。
【考案を実施するための形態】
【００１１】
以下、本考案の折れ刃回収付きカッターナイフ１００を、図１を用いて説明する。図１（ａ）は、折れ刃回収付きカッターナイフ１００の本体部１０の一例を示す模式図である。また、図１（ｂ）は、図１（ａ）に示す折れ刃回収付きカッターナイフ１００の小口１２の凹部１２ａに折れ刃回収糸２０が嵌め込まれておりこの折れ刃回収糸２０が接着剤３０を用いて凹部１２ａの内部に固着されている詳細を示す参考図である。なお、これらの図は、本考案の一例であり、これらに限定されることなく本考案の実施形態として適宜最適な構成にすればよい。
【００１２】
折れ刃回収付きカッターナイフ１００は、板状に形成されている本体部１０を有しており、本体部１０は、長手方向の一方の一辺が、紙、石膏ボード、合板などを切るための切り刃としてのカッター刃１１を有している。また、本体部１０は、カッター刃１１と対向する他方の面として小口１２を有している。
【００１３】
折れ刃回収付きカッターナイフ１００は、小口１２が、長手方向に凹部１２ａを有している。凹部１２ａは、この例においては、逆三角形状の溝であるが、これに限定されず、適宜最適な構成にすればよい。
【００１４】
凹部１２ａには、図に示すように、紐状の折れ刃回収糸２０が嵌め込まれており、このように凹部１２ａに嵌め込まれている折れ刃回収糸２０は、接着剤３０で凹部１２ａの内部に固着されるようになっている。折れ刃回収糸２０は、この例において、柔軟性を有しており、つまり伸縮性を有する構成であるが、これに限定されず、適宜最適な構成にすればよい。
【００１５】
このような構成を有する折れ刃回収付きカッターナイフ１００は、本体部１０が分断された場合において、折れ刃回収糸２０を用いて本体部１０の分断されたそれぞれの部分が連結されていることにより折れ刃の落下を防ぐことができる構成となっている。
【００１６】
上記の構成を有する折れ刃回収付きカッターナイフ１００の特徴についてさらに説明する。本考案は、従来のカッターナイフ切断能力を損なわず且つホルダーの改造も伴わない方法を考慮し、カッターナイフの刃と反対側の小口全長に溝を設けると共に伸縮性のある糸を小口全長に伸縮性のある接着剤で取り付け、想定外に折れた刃が糸と接着剤によりカッター本体と繋がり落下させることなく回収することが可能となり問題点を解決している。
【００１７】
上述のように、本考案の折れ刃回収付きカッターナイフは、折れた刃が勢いよく弾かれた際も作業している方へ刺さることがなく、下部への落下防止となる。折れ刃は取り付けた糸に繋がった状態となり安全な場所で糸を切断することにより回収され、作業している方及び下部の不特定多数の方への被害防止の効果に役立つ優れた考案である。
【００１８】
折れ刃回収付きカッターナイフを市販標準ホルダーに取り付け、通常通り取り扱っていた際、想定外にカッターナイフが折れるとカッターナイフ本体に折れ刃が糸と接着剤により繋がった状態でぶら下がる。折れ刃を回収し糸と接着剤を切り離すことにより折れ刃による切傷を防ぐことができる。
【００１９】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。また、本考案の折れ刃回収付きカッターナイフの大きさ、形状、素材の厚さ、重さなどについては多様な実施形態が可能であり、それらについて本実施形態と異なる形態による実施は、本考案の技術的範囲に含まれる。
【符号の説明】
【００２０】
１００  折れ刃回収付きカッターナイフ
１０    本体部
１１    カッター刃
１２    小口
１２ａ  凹部
２０    折れ刃回収糸
３０    接着剤
【図１】
0003230308.tif 000003